(57)【要約】      （修正有）【課題】構造が簡素で、操作が容易であり、調節部の自由端を固定できるショルダーベルト調節機構を提供する。【解決手段】ショルダーベルト調節機構１は調節バックル１１及び位置決め部品１２を含む。ショルダーベルトは、上側及び下側ショルダーベルト本体３１、３２を含む。上側ショルダーベルト本体の両端はチャイルドキャリア２の背もたれ２２及び調節バックルに接続される。下側ショルダーベルト本体は接続端及び自由端を含む。接続端は、チャイルドキャリアのシート本体２１に接続される。自由端は、調節バックルを介して巻かれ、自由端と調節バックルとの間に調節部３２１を形成し、調節バックルと接続端との間に接続部３２２を形成する。位置決め部品は、接続部上を摺動可能に覆い、自由端に固定接続される。自由端は、接続部の長さを調節するために調節部が引っ張られた場合、位置決め部品と共に接続部上を摺動する。【選択図】図１
0003230541.tif 000002
【実用新案登録請求の範囲】
【請求項１】
チャイルドキャリア（２）のショルダーベルト（３）を調節するためのショルダーベルト調節機構（１）であって、該チャイルドキャリア（２）は、シート本体（２１）及び該シート本体（２１）に接続される背もたれ（２２）を含み、該ショルダーベルト（３）は、互いに接続される上側ショルダーベルト本体（３１）及び下側ショルダーベルト本体（３２）を含み、該上側ショルダーベルト本体（３１）の一端は該背もたれ（２２）に接続され、該下側ショルダーベルト本体（３２）は接続端（３２a）及び自由端（３２ｂ）を含み、該下側ショルダーベルト本体（３２）の接続端（３２ａ）は、該シート本体（２１）に接続され、
当該ショルダーベルト調節機構は調節バックル（１１）及び位置決め部品（１２）を含み、前記上側ショルダーベルト本体（３１）の他端は、該調節バックル（１１）の周わりに巻かれ、前記下側ショルダーベルト本体（３２）の自由端（３２ｂ）は、前記調節バックル（１１）を介して巻かれて、前記自由端（３２ｂ）と前記調節バックル（１１）との間に調節部を形成し、前記調節バックル（１１）と前記接続端（３２ａ）との間に接続部（３２２）を形成し、前記位置決め部品（１２）は、前記接続部（３２２）上を摺動可能に覆い、前記自由端（３２ｂ）に固定接続され、前記自由端（３２ｂ）は、前記接続部（３２２）の長さを調節するために前記調節部（３２１）が引っ張られた場合、前記位置決め部品（１２）と共に前記接続部（３２２）上を摺動する、ショルダーベルト調節機構。
【請求項２】
前記下側ショルダーベルト本体（３２）の自由端（３２ｂ）は、前記位置決め部品（１２）に縫い付けられている、請求項１に記載のショルダーベルト調節機構。
【請求項３】
前記下側ショルダーベルト本体（３２）の自由端（３２ｂ）は、前記位置決め部品（１２）を介して巻かれて、前記調節部（３２１）に固定接続される、請求項１に記載のショルダーベルト調節機構。
【請求項４】
前記位置決め部品（１２）を介して巻かれた前記下側ショルダーベルト本体（３２）の自由端（３２ｂ）は前記調節部（３２１）を縫い付けられている、請求項3に記載のショルダーベルト調節機構。
【請求項５】
前記下側ショルダーベルト本体（３２）の自由端（３２ｂ）は、前記位置決め部品（１２）を通過するように、前記位置決め部品（１２）の底部から上方に曲げられ、内側に折り曲げられて、前記調節部（３２１）に固定接続される、請求項３に記載のショルダーベルト調節機構。
【請求項６】
前記位置決め部品（１２）は、前記接続部（３２２）及び前記調節部（３２１）上を摺動可能に覆い、前記下側ショルダーベルト本体（３２）の自由端（３２ｂ）は、前記位置決め部品（１２）を通過するように、前記位置決め部品（１２）の底部から上方に曲げられ、外方に折り曲げられて、前記調節部（３２１）に固定接続される、請求項３に記載のショルダーベルト調節機構。
【請求項７】
前記調節部（３２１）と前記下側ショルダーベルト本体（３２）の自由端（３２ｂ）との間に配置される接続部品（１３）をさらに含み、前記下側ショルダーベルト本体（３２）の自由端（３２ｂ）は、前記位置決め部品（１２）を介して巻かれて、該接続部品（１３）によって前記調節部（３２１）に固定接続される、請求項１に記載のショルダーベルト調節機構。
【請求項８】
前記位置決め部品（１２）と前記下側ショルダーベルト本体（３２）の自由端（３２ｂ）との間に配置される接続部品（１３）をさらに含み、前記下側ショルダーベルト本体（３２）の自由端（３２ｂ）は、該接続部品（１３）によって前記位置決め部品（１２）に接続される、請求項１に記載のショルダーベルト調節機構。
【請求項９】
前記接続部品（１３）は、締結バックル及び締結孔構造の組立体、バックル又はベルクロファスナーである、請求項７又は８に記載のショルダーベルト調節機構。
【請求項１０】
前記下側ショルダーベルト本体（３２）の自由端（３２ｂ）は、前記調節部（３２１）の異なる位置に調節可能に接続される、請求項８に記載のショルダーベルト調節機構。
【請求項１１】
前記調節バックル（１１）は複数のスロット構造及び該複数のスロット構造の間に配置される少なくとも1つのクロスバーを含む、請求項１乃至１０のいずれか一項に記載のショルダーベルト調節機構。
【請求項１２】
前記位置決め部品（１２）はリング構造である、請求項１乃至１１のいずれか一項に記載のショルダーベルト調節機構。
【請求項１３】
前記接続部（３２２）及び前記調節部（３２１）上を摺動可能に覆う結束部品（１５）をさらに含み、該結束部品は、前記調節バックル（１１）と前記位置決め部品（１２）との間に配置される、請求項１乃至１２のいずれか一項に記載のショルダーベルト調節機構。
【請求項１４】
前記結束部品（１５）はリング構造である、請求項１３に記載のショルダーベルト調節機構。
【請求項１５】
前記上側ショルダーベルト本体（３１）と前記下側ショルダーベルト本体（３２）との接続部を着脱可能に覆うクッション部品（１４）をさらに含む、請求項１乃至１４のいずれか一項に記載のショルダーベルト調節機構。
【考案の詳細な説明】
【技術分野】
【０００１】
本考案は、請求項１の前提部分に係るショルダーベルト調節機構に関する。
【背景技術】
【０００２】
チャイルドキャリアは、子供を運ぶ上で大きな利便性を提供し、子供に対して安全性及び快適性を提供できる。安全上の懸念から、チャイルドキャリアには通常、子供を固定するためのショルダーベルトが設けられ、ショルダーベルトの長さは調節可能に設計されている。
【考案の概要】
【考案が解決しようとする課題】
【０００３】
しかしながら、長さが調節可能な従来のショルダーベルトは柔らかい素材の織布でできている場合が多く、その調節部は調節後に規制されずに自由に揺動できるため、使用上の問題や不便さをもたらす。そのため、従来のショルダーベルトの調節部を拘束するために拘束部品が用いられる。調節部の自由端を拘束部品に通して、調節部の調節された長さに応じて拘束部品を動かすことにより調節部を拘束するがこれには、拘束部品から自由端を離れることによりショルダーベルトの拘束が効果的でなく、操作が不便という欠点がある。したがって、上記の問題を解決するためには、構造が簡素であり、操作が容易で、調節部の自由端を固定できるショルダーベルト調節機構を提供する必要がある。
【０００４】
上記に鑑み、本考案は、チャイルドキャリアの高い安全性及び良好な快適性を確かなものにするために、構造が簡素であり、操作が容易で、調節部の自由端を固定できるショルダーベルト調節機構を提供することを目的とする。
【課題を解決するための手段】
【０００５】
これは、請求項１に記載のショルダーベルト調節機構によって実現される。従属クレームは、対応するさらなる発展及び改良に関連する。
【０００６】
下記の詳細な説明からより明確に分かるように、本考案のショルダーベルト調節機構は、チャイルドキャリアのショルダーベルトを調節するためのものである。チャイルドキャリアは、シート本体及び該シート本体に接続される背もたれを含む。ショルダーベルトは、互いに接続される上側ショルダーベルト本体及び下側ショルダーベルト本体を含み、該上側ショルダーベルト本体の一端は該背もたれに接続され、該下側ショルダーベルトベルト本体は接続端及び自由端を含み、該下側ショルダーベルト本体の接続端は、該シート本体に接続される。ショルダーベルト調節機構は調節バックル及び位置決め部品を含み、上側ショルダーベルト本体の他端は、該調節バックルの周わりに巻かれ、下側ショルダーベルト本体の自由端は、調節バックルを介して巻かれて（wraps  through）、自由端と調節バックルとの間に調節部を形成し、調節バックルと接続端との間に接続部を形成する。位置決め部品は、接続部上を摺動可能に覆い（slidably  sheathed）、自由端に固定接続され、自由端は、接続部の長さを調節するために調節部が引っ張られた場合、位置決め部品と共に接続部上を摺動する。
【０００７】
本考案の一実施形態によれば、下側ショルダーベルト本体の自由端は、位置決め部品に縫い付けられている。
【０００８】
本考案の一実施形態によれば、下側ショルダーベルト本体の自由端は、位置決め部品を介して巻かれて、調節部に固定接続される。
【０００９】
本考案の一実施形態によれば、位置決め部品を介して巻かれた下側ショルダーベルト本体の自由端は調節部を縫い付けられている。
【００１０】
本考案の一実施形態によれば、下側ショルダーベルト本体の自由端は、位置決め部品を通過するように、位置決め部品の底部から上方に曲げられ、内側に折り曲げられて、調節部に固定接続される。
【００１１】
本考案の一実施形態によれば、位置決め部品は、接続部及び調節部上を摺動可能に覆い、下側ショルダーベルト本体の自由端は、位置決め部品を通過するように、位置決め部品の底部から上方に曲げられ、外方に折り曲げられて、調節部に固定接続される。
【００１２】
本考案の一実施形態によれば、ショルダーベルト調節機構は、調節部と下側ショルダーベルト本体の自由端との間に配置される接続部品をさらに含み、下側ショルダーベルト本体の自由端は、位置決め部品を介して巻かれて、接続部品によって調節部に固定接続される。
【００１３】
本考案の一実施形態によれば、ショルダーベルト調節機構は、位置決め部品と下側ショルダーベルト本体の自由端との間に配置される接続部品をさらに含み、下側ショルダーベルト本体の自由端は、該接続部品によって位置決め部品に接続される。
【００１４】
本考案の一実施形態によれば、接続部品は、締結バックル及び締結孔構造の組立体、バックル又はベルクロファスナーである。
【００１５】
本考案の一実施形態によれば、下側ショルダーベルト本体の自由端は、調節部の異なる位置に調節可能に接続される。
【００１６】
本考案の一実施形態によれば、調節バックルは複数のスロット構造及び該複数のスロット構造の間に配置される少なくとも1つのクロスバーを含む。
【００１７】
本考案の一実施形態によれば、位置決め部品はリング構造である。
【００１８】
本考案の一実施形態によれば、ショルダーベルト調節機構は、接続部及び調節部上を摺動可能に覆う結束部品をさらに含み、該結束部品は、調節バックルと位置決め部品との間に配置される。
【００１９】
本考案の一実施形態によれば、結束部品はリング構造である。
【００２０】
本考案の一実施形態によれば、ショルダーベルト調節機構は、上側ショルダーベルト本体と下側ショルダーベルト本体との接続部を着脱可能に覆うクッション部品をさらに含む。
【００２１】
以上をまとめると、ショルダーベルト調節機構は調節バックル及び位置決め部品を含む。上側ショルダーベルト本体の両端は背もたれ及び調節バックルにそれぞれ接続されている。下側ショルダーベルト本体の接続端は、チャイルドキャリアのシート本体に接続されている。下側ショルダーベルト本体の自由端は、調節バックルを介して巻かれて、自由端と調節バックルとの間に調節部を形成するとともに、調節バックルと接続端との間に接続部をさらに形成する。位置決め部品は、接続部上を摺動可能に覆い、自由端に固定接続されている。自由端は、接続部の長さを調節するために調節部が引っ張られた場合、位置決め部品と共に接続部上を摺動でき、ユーザーの異なる要求に応じてショルダーベルトの全長を簡便に調節できる。下側ショルダーベルト本体の自由端は、摺動動作の間は常に接続部上に位置するため、何らかの拘束部品で自由端を拘束する必要がなく、自由端は位置決め部品から離れることができない。したがって、本考案のショルダーベルト調節機構は、構造が簡素で、操作が容易で、ショルダーベルトが整頓され、便利に利用できるという利点を有する。
【００２２】
本考案のこれら及び他の目的は、種々の図及び図面に示す好ましい実施形態の下記の詳細な説明を読んだ後、当業者にとって明らかになるであろう。
【図面の簡単な説明】
【００２３】
以下では、添付の図面を参照しながら、本考案を一例としてさらに説明する。
【図１】図１は、本考案の一実施形態に係る、チャイルドキャリアに取り付けられたショルダーベルト調節機構の図である。
【図２】図２は、本考案の実施形態に係る、位置決め部品に固定接続された下側ショルダーベルト本体の自由端の図である。
【図３】図３は、本考案の実施形態に係る、調節部により位置決め部品に接続された下側ショルダーベルト本体の自由端の図である。
【図４】図４は、本考案の実施形態に係る、別の状態にあるショルダーベルト調節機構の図である。
【図５】図５は、本考案の実施形態に係る、接続部品により位置決め部品に接続された下側ショルダーベルト本体の自由端の図である。
【図６】図6は、本考案の実施形態に係る、下側ショルダーベルト本体の自由端及び異なる構造の調節部を接続する接続部品の図である。
【図７】図７は、本考案の実施形態に係る、下側ショルダーベルト本体の自由端及び調節部を異なる構造で接続する接続部品の図である。
【図８】図８は、本考案の実施形態に係る連結部及び調節部を摺動可能に被覆する結束部品の図である。
【考案を実施するための形態】
【００２４】
本考案の技術的な仕様及び構造上の特徴並びに実現される目的及び効果を説明するために、関連する実施形態及び図面を以下で説明する。
【００２５】
好ましい実施形態の以下の詳細な説明では、本願の一部を形成し、本考案が実施され得る特定の実施形態を例示する添付の図面を参照する。これに関連して、「上」、「下」、「前」、「後」等の方向を示す用語が、記載された図の向きに関連して用いられる。本考案の構成要素は、多数の異なる向きに配置できる。そのため、方向を示す用語は、説明を目的として用いられているものであり、何ら限定するものではない。したがって、図面及び説明は本質的に例示にすぎず、限定的なものではない。
【００２６】
図１を参照されたい。図１は、本考案の一実施形態に係るチャイルドキャリア２に取り付けられたショルダーベルト調節機構１の図である。ショルダーベルト調節機構１は、チャイルドキャリア２のショルダーベルト３の長さを調節することができる。チャイルドキャリア２は、限定されないが、ベビーカー、ベビーバスケット、キャリコット、安全シート、ベビーチェア等で採用できる。具体的には、チャイルドキャリア２は、シート本体２１、シート本体２１に接続される背もたれ２２及びシート本体２１と背もたれ２２との間に接続されるとともに、互いに対称的に設けられる２つのショルダーベルト３を含む。各ショルダーベルト３は、互いに接続される上側ショルダーベルト本体３１及び下側ショルダーベルト本体３２を含む。
【００２７】
図１〜図８を参照されたい。図２は、本考案の実施形態に係る、位置決め部品１２に固定接続された下側ショルダーベルト本体３２の自由端３２bの図である。図３は、本考案の実施形態に係る、調節部３２１により位置決め部品１２に接続された下側ショルダーベルト本体３２の自由端３２ｂの図である。図４は、本考案の実施形態に係る、別の状態にあるショルダーベルト調節機構１の図である。図５は、本考案の実施形態に係る、接続部品１３により位置決め部品１２に接続された下側ショルダーベルト本体３２の自由端３２ｂの図である。図６及び図７は、本考案の実施形態に係る、下側ショルダーベルト本体３２の自由端３２ｂ及び調節部３２１と異なる構造で接続された接続部品１３の図である。図８は、本考案の実施形態に係る、接続部３２２及び調節部３２１上を摺動可能に覆う結束部品１５の図である。ショルダーベルト調節機構１は、調節バックル１１及び位置決め部品１２を含む。上側ショルダーベルト本体３１の端部は背もたれ２２に接続され、上側ショルダーベルト本体３１の他端は調節バックル１１の周りに巻かれている。下側ショルダーベルト本体３２は、接続端３２ａ及び自由端３２ｂを含み、下側ショルダーベルト本体３２の接続端３２ａはシート本体２１に接続されている。下側ショルダーベルト本体３２の接続端３２ａは、バックル装置によってシート本体２１に接続できることが好ましい。例えば、接続端３２ａに配置される雄バックルと、シート本体２１に配置される雌バックルは、チャイルドキャリア２に座る子供を拘束するか又は拘束を解除するために、互いに係合するか又は分離できる。下側ショルダーベルト本体３２の自由端３２ｂは、調節バックル１１を介して巻かれて、自由端３２ｂと調節バックル１１との間に調節部３２１を形成し、調節バックル１１と接続端３２ａとの間に接続部３２２をさらに形成する。位置決め部品１２は摺動可能に接続部３２２上を覆い、自由端３２ｂに固定接続されている。自由端３２ｂは、接続部３２２の長さを調節するために調節部３２１が引っ張られた場合に、位置決め部品１２と共に接続部３２２上を摺動でき、ユーザーの異なる要求に応じてショルダーベルト３の全長を便利に調節できる。下側ショルダーベルト本体３２の自由端３２ｂは、摺動動作の間は常に接続部３２２上に位置するため、何らかの拘束部品で自由端３２ｂを拘束する必要がなく、自由端３２ｂは位置決め部品１２から離れることができない。
【００２８】
図２〜図４に示すように、下側ショルダーベルト本体３２の自由端３２ｂは、位置決め部品１２に直接縫い合わせることができる。これには構造が簡素という利点がある。あるいは、下側ショルダーベルト本体３２の自由端３２ｂは、自由端３２ｂと位置決め部品１２との固定接続が得られるように、位置決め部品１２を介して巻いて調節部３２１に固定接続できる。具体的には、位置決め部品１２を介して巻かれた下側ショルダーベルト本体３２の自由端３２ｂを調節部３２１に縫い付けることができる。下側ショルダーベルト本体３２の自由端３２ｂは、位置決め部品１２を通過するように、位置決め部品１２の底部から上方に曲げ、内側に折り曲げられて、調節部３２１と固定接続することができる。あるいは、位置決め部品12は、接続部３２２及び調節部３２１上を摺動可能に覆うことができ、下側ショルダーベルト本体３２の自由端３２ｂは、位置決め部品１２を通過するように、位置決め部品１２の底部から上方に曲げ、外方に折り曲げられて、調節部３２１に固定接続できる。
【００２９】
図５〜図７を参照されたい。ショルダーベルト調節機構１は、自由端３２ｂを調節部３２１又は位置決め部品１２に接続するための接続部品１３をさらに含む。図５に示すように、接続部品１３は、位置決め部品１２と下側ショルダーベルト本体３２の自由端３２ｂとの間に配置することができ、下側ショルダーベルト本体３２の自由端３２ｂは、接続部品１３によって位置決め部品１２に取り外し可能に接続されている。具体的には、接続部品１３は、締結バックル及び締結孔構造の組立体、バックル、ベルクロファスナー等であり得る。図６及び図７に示すように、ショルダーベルト調節機構１は、調節部３２１と下側ショルダーベルト本体３２の自由端３２ｂとの間にも配置でき、下側ショルダーベルト本体３２の自由端３２ｂは、位置決め部品１２を介して巻かれて、接続部品１３により調節部３２１と固定接続される。下側ショルダーベルト本体３２の自由端３２ｂは、位置決め部品１２を通過するように、位置決め部品１２の底部から上方に曲げて、内方に折り曲げられて、接続部品１３により調節部３２１に固定接続できることが好ましい。あるいは、位置決め部品１２は、接続部３２２及び調節部３２１上を摺動可能に覆い、下側ショルダーベルト本体３２の自由端３２ｂは、位置決め部品１２を通過するように、位置決め部品１２の底部から上方に曲げて、外方に折り曲げられて、接続部品１３により調節部３２１と固定接続できる。下側ショルダーベルト本体３２の自由端３２ｂは、調節可能に調節部３２１の異なる位置に接続できることが好ましい。例えば、接続部３２２が短く、調節部３２１が長い場合、整った（ordered）ベルト３の便利な動作のために、自由端３２ｂと調節部３２１との接続位置を調節することで調節部３２１を短くすることができる。
【００３０】
図１を参照されたい。ショルダーベルト調節機構１は、上側ショルダーベルト本体３１と下側ショルダーベルト本体３２との接続部を取り外し可能に覆うための少なくとも１つのクッション部品１４をさらに含む。具体的には、クッション部品１４は矩形状シートで形成でき、クッション部品１４の両端を接続して筒状構造を形成し、快適効果のために上側ショルダーベルト本体３１の少なくとも一部、調節バックル１１及び下側ショルダーベルト本体３２の少なくとも一部を覆うことができる。さらに、調節バックル１１は複数のスロット構造と、複数のスロット構造の間に配置される少なくとも１つのクロスバーとを含むことができ、位置決め部品１２はリング構造であってもよい。
【００３１】
図８を参照されたい。ショルダーベルト調節機構１は、接続部３２２及び調節部３２１上を摺動可能に覆い、調節バックル１１と位置決め部品１２との間に配置される結束部品１５をさらに含む。例えば、接続部３２２が短く、調節部３２１が長い場合、結束部品１５は整ったショルダーベルト３を得るためにより長い方の調節部３２１の中央部を束ねることができる。結束部品１５はリング構造であり得る。
【００３２】
以上をまとめると、ショルダーベルト調節機構１は調節バックル１１及び位置決め部品１２を含む。上側ショルダーベルト本体３１の両端は背もたれ２２及び調節バックル１１にそれぞれ接続されている。下側ショルダーベルト本体３２の接続端３２ａは、チャイルドキャリア２のシート本体２１に接続されている。下側ショルダーベルト本体３２の自由端３２ｂは、調節バックル１１を介して巻かれて、自由端３２ｂと調節バックル１１との間に調節部３２１を形成するとともに、調節バックル１１と接続端３２ａとの間に接続部３２２をさらに形成する。位置決め部品１２は、接続部３２２上を摺動可能に覆い、自由端３２ｂに固定接続されている。自由端３２ｂは、接続部３２２の長さを調節するために調節部３２１が引っ張られた場合、位置決め部品１２と共に接続部３２２上を摺動でき、ユーザーの異なる要求に応じてショルダーベルト３の全長を簡便に調節できる。下側ショルダーベルト本体３２の自由端３２ｂは、摺動動作の間は常に接続部３２２上に位置するため、何らかの拘束部品で自由端３２ｂを拘束する必要がなく、自由端３２ｂは位置決め部品１２から離れることができない。したがって、本考案のショルダーベルト調節機構１は、構造が簡素で、操作が容易で、ショルダーベルトが整頓され、便利に利用できるという利点を有する。
【００３３】
当業者は、本考案の教示を維持しつつ、装置及び方法に多くの修正及び変更が加えられ得ることを容易に理解できる。したがって、上記の開示は、添付の実用新案請求の範囲によってのみ限定されると解釈すべきである。
【図１】
0003230541.tif 000003
【図２】
0003230541.tif 000004
【図３】
0003230541.tif 000005
【図４】
0003230541.tif 000006
【図５】
0003230541.tif 000007
【図６】
0003230541.tif 000008
【図７】
0003230541.tif 000009
【図８】
0003230541.tif 000010
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
チャイルドキャリア（２）のショルダーベルト（３）を調節するためのショルダーベルト調節機構（１）であって、該チャイルドキャリア（２）は、シート本体（２１）及び該シート本体（２１）に接続される背もたれ（２２）を含み、該ショルダーベルト（３）は、互いに接続される上側ショルダーベルト本体（３１）及び下側ショルダーベルト本体（３２）を含み、該上側ショルダーベルト本体（３１）の一端は該背もたれ（２２）に接続され、該下側ショルダーベルト本体（３２）は接続端（３２a）及び自由端（３２ｂ）を含み、該下側ショルダーベルト本体（３２）の接続端（３２ａ）は、該シート本体（２１）に接続され、
当該ショルダーベルト調節機構は調節バックル（１１）及び位置決め部品（１２）を含み、前記上側ショルダーベルト本体（３１）の他端は、該調節バックル（１１）の周わりに巻かれ、前記下側ショルダーベルト本体（３２）の自由端（３２ｂ）は、前記調節バックル（１１）を介して巻かれて、前記自由端（３２ｂ）と前記調節バックル（１１）との間に調節部を形成し、前記調節バックル（１１）と前記接続端（３２ａ）との間に接続部（３２２）を形成し、前記位置決め部品（１２）は、前記接続部（３２２）上を摺動可能に覆い、前記自由端（３２ｂ）に固定接続され、前記自由端（３２ｂ）は、前記接続部（３２２）の長さを調節するために前記調節部（３２１）が引っ張られた場合、前記位置決め部品（１２）と共に前記接続部（３２２）上を摺動する、ショルダーベルト調節機構。
【請求項２】
前記下側ショルダーベルト本体（３２）の自由端（３２ｂ）は、前記位置決め部品（１２）に縫い付けられている、請求項１に記載のショルダーベルト調節機構。
【請求項３】
前記下側ショルダーベルト本体（３２）の自由端（３２ｂ）は、前記位置決め部品（１２）を介して巻かれて、前記調節部（３２１）に固定接続される、請求項１に記載のショルダーベルト調節機構。
【請求項４】
前記位置決め部品（１２）を介して巻かれた前記下側ショルダーベルト本体（３２）の自由端（３２ｂ）は前記調節部（３２１）を縫い付けられている、請求項3に記載のショルダーベルト調節機構。
【請求項５】
前記下側ショルダーベルト本体（３２）の自由端（３２ｂ）は、前記位置決め部品（１２）を通過するように、前記位置決め部品（１２）の底部から上方に曲げられ、内側に折り曲げられて、前記調節部（３２１）に固定接続される、請求項３に記載のショルダーベルト調節機構。
【請求項６】
前記位置決め部品（１２）は、前記接続部（３２２）及び前記調節部（３２１）上を摺動可能に覆い、前記下側ショルダーベルト本体（３２）の自由端（３２ｂ）は、前記位置決め部品（１２）を通過するように、前記位置決め部品（１２）の底部から上方に曲げられ、外方に折り曲げられて、前記調節部（３２１）に固定接続される、請求項３に記載のショルダーベルト調節機構。
【請求項７】
前記調節部（３２１）と前記下側ショルダーベルト本体（３２）の自由端（３２ｂ）との間に配置される接続部品（１３）をさらに含み、前記下側ショルダーベルト本体（３２）の自由端（３２ｂ）は、前記位置決め部品（１２）を介して巻かれて、該接続部品（１３）によって前記調節部（３２１）に固定接続される、請求項１に記載のショルダーベルト調節機構。
【請求項８】
前記位置決め部品（１２）と前記下側ショルダーベルト本体（３２）の自由端（３２ｂ）との間に配置される接続部品（１３）をさらに含み、前記下側ショルダーベルト本体（３２）の自由端（３２ｂ）は、該接続部品（１３）によって前記位置決め部品（１２）に接続される、請求項１に記載のショルダーベルト調節機構。
【請求項９】
前記接続部品（１３）は、締結バックル及び締結孔構造の組立体、バックル又は面ファスナーである、請求項７又は８に記載のショルダーベルト調節機構。
【請求項１０】
前記下側ショルダーベルト本体（３２）の自由端（３２ｂ）は、前記調節部（３２１）の異なる位置に調節可能に接続される、請求項８に記載のショルダーベルト調節機構。
【請求項１１】
前記調節バックル（１１）は複数のスロット構造及び該複数のスロット構造の間に配置される少なくとも1つのクロスバーを含む、請求項１乃至１０のいずれか一項に記載のショルダーベルト調節機構。
【請求項１２】
前記位置決め部品（１２）はリング構造である、請求項１乃至１１のいずれか一項に記載のショルダーベルト調節機構。
【請求項１３】
前記接続部（３２２）及び前記調節部（３２１）上を摺動可能に覆う結束部品（１５）をさらに含み、該結束部品は、前記調節バックル（１１）と前記位置決め部品（１２）との間に配置される、請求項１乃至１２のいずれか一項に記載のショルダーベルト調節機構。
【請求項１４】
前記結束部品（１５）はリング構造である、請求項１３に記載のショルダーベルト調節機構。
【請求項１５】
前記上側ショルダーベルト本体（３１）と前記下側ショルダーベルト本体（３２）との接続部を着脱可能に覆うクッション部品（１４）をさらに含む、請求項１乃至１４のいずれか一項に記載のショルダーベルト調節機構。